(57)【要約】【課題】  利用者の心理状況を考慮しつつ対象機器に対する利用者の行動を支援する。【解決手段】  対象機器に対する一連の行動と目的とを関連づけた行動目的情報と、対象機器に対する利用者の行動履歴とから利用者の目的を把握し；前記対象機器が受け付ける行動と人間の特性に基づくパラメータの値とを関連づけた情報に基づいて、把握された前記目的を達成するために必要な行動の中から、適正に行われていない行動の候補を検出し；前記候補と、前記把握された目的とに基づき、前記行動履歴の中から推定を行う対象となる行動を決定し；決定された行動に対応する前記パラメータの値から前記決定された行動を行っている時における利用者の心理状況を推定し；前記推定を行う対象となった行動と、前記適正に行われていない行動の候補と、前記対象機器に関する情報とに基づき、前記候補の中から適正に行われていない行動を推定する。【選択図】  図２
2006285599.tif 000002
【特許請求の範囲】
【請求項１】
対象機器に対する利用者の行動を支援する行動支援装置であって：
前記対象機器に関する情報を対象状況情報として記憶する対象状況情報記憶手段と；
前記対象機器に対する利用者の行動履歴を記憶する行動履歴記憶手段と；
前記対象機器が受け付ける行動と、前記行動に対して設定される人間の特性に基づくパラメータの値とを記憶するパラメータ化行動情報記憶手段と；
一連の行動と、前記一連の行動の目的とを関連づけて記憶する行動目的情報記憶手段と；
対象機器に対する行動時における利用者の心理状況を推定する状態推定部であって、
前記行動履歴から利用者の目的を把握する目的把握手段と、
把握された目的を達成するために必要な行動の中から、適正に行われていない行動の候補を、前記目的を達成するために必要な行動に対応するパラメータの値に基づいて検出する行動候補検出手段と、
前記検出された行動の候補と、前記把握された目的とに基づき、前記行動履歴の中から推定を行う対象となる行動を決定する推定範囲決定手段と、
前記推定範囲決定手段によって決定された行動に対応するパラメータの値から、前記推定範囲決定手段によって決定された行動を行っている時における利用者の心理状況を推定する心理状況推定手段と、
を有した状態推定部と；
前記心理状況推定手段によって推定された利用者の心理状況を記憶する状態記憶部と；
前記推定範囲決定手段によって決定された行動と、前記適正に行われていない行動の候補と、前記対象状況情報とに基づき、前記適正に行われていない行動の候補の中から適正に行われていない行動を推定する行動推定手段と；
前記行動推定手段によって推定された適正に行われていない行動と、前記推定された心理状況とを利用者への提示のために出力する出力手段と；
を備えた行動支援装置。
【請求項２】
前記状態記憶部は、さらに前記行動履歴内の各行動に対応するパラメータの値を記憶し、
前記状態推定部は、前記状態記憶部内のパラメータの値を更新する更新手段をさらに備え、
前記状態推定部における前記心理状況推定手段は、前記推定範囲決定手段によって決定された行動に対するパラメータの値として、更新後のパラメータの値を用いることを特徴とする請求項１に記載の行動支援装置。
【請求項３】
前記状態推定部における前記更新手段は、前記パラメータ間を関連づけた関係式を用いて更新を行うことを特徴とする請求項２に記載の行動支援装置。
【請求項４】
前記パラメータは、心理的障壁の度合いを示すパラメータ、経験的予断の確度を示すパラメータ、繰り返して取り組む度合を示すパラメータ、選択候補数を示すパラメータ、時間的な余裕度を示すパラメータ、および経験的度合いを示すパラメータの少なくともいずれかを含むことを特徴とする請求項１ないし３のいずれかに記載の行動支援装置。
【請求項５】
前記状態推定部における前記行動候補検出手段は、前記選択候補数を示すパラメータの値に対応して、対象とする目的の数、および検出する候補の数を制限することを特徴とする請求項４に記載の行動支援装置。
【請求項６】
前記状態推定部における前記行動候補検出手段は、前記経験的度合いを示すパラメータの値に基づいて、前記対象とする目的を特定することを特徴とする請求項５に記載の行動支援装置。
【請求項７】
前記状態推定部における行動候補検出手段は、前記心理的障壁の度合いを示すパラメータの値または前記経験的予断の確度を示すパラメータの値またはこれらの両方を用いて、前記検出する候補を決定することを特徴とする請求項５または６に記載の行動支援装置。
【請求項８】
前記推定された適正に行われていない行動および前記推定された心理状況に対する利用者からの応答を受け取る応答受取手段をさらに備え、
前記状態推定部における前記行動候補検出手段、前記行動推定手段またはこれらの両方は、前記応答の内容を加味して、検出または推定を行うことを特徴とする請求項１ないし７のいずれかに記載の行動支援装置。
【請求項９】
前記対象状況情報と、前記推定された適正に行われていない行動とに基づいて、利用者に対し確認することを奨める行動を策定する推奨行動策定手段をさらに備え、
前記出力手段は、前記適正に行われていない行動を出力する代わりに、または前記適正に行われていない行動とともに、前記確認することを奨める行動を出力することを特徴とする請求項１ないし８のいずれかに記載の行動支援装置。
【請求項１０】
対象機器に対する利用者の行動を支援する行動支援方法であって：
前記対象機器に対する利用者の行動履歴を取得し；
前記対象機器に対する一連の行動と前記一連の行動の目的とを関連づけた行動目的情報と、前記行動履歴とから利用者の目的を把握し；
前記対象機器が受け付ける行動と人間の特性に基づくパラメータの値とを関連づけたパラメータ化行動情報に基づいて、把握された前記目的を達成するために必要な行動の中から、適正に行われていない行動の候補を検出し；
前記検出された行動の候補と、前記把握された目的とに基づき、前記行動履歴の中から推定を行う対象となる行動を決定し；
決定された行動に対応するパラメータの値から、前記決定された行動を行っている時における利用者の心理状況を推定し；
前記決定された推定を行う対象となった行動と、前記適正に行われていない行動の候補と、前記対象機器に関する情報としての対象状況情報とに基づき、前記適正に行われていない行動の候補の中から適正に行われていない行動を推定し；
前記推定された適正に行われていない行動と、推定された前記心理状況とを利用者への提示のために出力する；
行動支援方法。
【請求項１１】
対象機器に対する利用者の行動を支援する行動支援プログラムであって：
前記対象機器に対する利用者の行動履歴を取得するステップと；
前記対象機器に対する一連の行動と前記一連の行動の目的とを関連づけた行動目的情報と、前記行動履歴とから利用者の目的を把握するステップと；
前記対象機器が受け付ける行動と人間の特性に基づくパラメータの値とを関連づけたパラメータ化行動情報に基づいて、把握された前記目的を達成するために必要な行動の中から、適正に行われていない行動の候補を検出するステップと；
前記検出された行動の候補と、前記把握された目的とに基づき、前記行動履歴の中から推定を行う対象となる行動を決定ステップと；
決定された行動に対応するパラメータの値から、前記決定された行動を行っている時における利用者の心理状況を推定するステップと；
前記決定された推定を行う対象となった行動と、前記適正に行われていない行動の候補と、前記対象機器に関する情報としての対象状況情報とに基づき、前記適正に行われていない行動の候補の中から適正に行われていない行動を推定するステップと；
前記推定された適正に行われていない行動と、推定された前記心理状況とを利用者への提示のために出力するステップと；
をコンピュータに実行させるための行動支援プログラム。
【発明の詳細な説明】
【技術分野】
【０００１】
本発明は、行動支援装置、行動支援方法および行動支援プログラムに関する。
【背景技術】
【０００２】
対象機器が存在する、保守業務や運転業務、機器操作等におけるマニュアルの内容である情報の整理は、「エキスパートシステムの構築」として捉えられており、対象ドメインに関する知識を根拠に対象ドメインの専門家に整理が任せられている。
【０００３】
従来から、保守業務や運転業務、機器操作を支援するシステムとして、上述のエキスパートシステムや、ヘルプシステムがあったが、思いの外利用されておらず、せっかくの情報が有効利用されずに業務効率が改善されていない。紙ベースのマニュアルもこれら従来システムと等価な存在である。
【０００４】
これら従来のシステムや紙ベースのマニュアルが有効利用されていない原因は、マニュアル形態にあるのではなく、マニュアルの内容である情報の整理が、現場での人の思考に馴染まないことにあると考える。
【０００５】
対象ドメインに関する知識だけを根拠に整理された情報は、時間などの制約が課された現場では参照しにくい。保守業務や運転業務における非効率は、作業従事者個人の思い込みや行動パターン(固定とは限らない) に依存した判断でなされた行動選択に適合性がかけていた場合に生じると考える。
【０００６】
一方、正しい知識を繰り返し与えても人の誤解を解くには至らないという指摘が教育現場でなされている。さらに、人は、対象ドメインに直接依存しない論理構造にしたがって推論行動をおこなっているという指摘もある。
【０００７】
適切でない行動選択を人に変更させるためには、結果としての間違いを指摘するだけでは奏効せず、行動する本人の判断過程に踏み込んだ修正指示が必要である。つまり、人の行動時の心理的状況を適正に推定することが必要である。
【０００８】
非特許文献１には人に誤りを気付かせることを目的とした方法が提案されている。これは、心理的状況を推し量るのではなく、あらかじめ、対象に関する間違った論理を用意しておき、人に自分と同じ考えのものを選択させてそれが誤りであるということを気付かせるものである。したがってこの方法は、人の行動時の心理的状況を推定するものではない。このことは、特許文献１に記載された技術についても同様である。この技術は、自分が対象に関して保有している部分的知識を元に、対象知識のデータベースを検索することで自分の判断が正しかったか否かを確認するものである。
【特許文献１】特開平6−301546公報
【非特許文献１】平嶋，堀口，Error Awareness: 誤りへの気付きを支援する学習環境，第４３回人工知能学会人工知能基礎論研究会，SIG-FAI-A003，pp.59-64(2000)
【発明の開示】
【発明が解決しようとする課題】
【０００９】
本発明は、利用者の心理状況を考慮しつつ対象機器に対する利用者の行動を支援する行動支援装置、行動支援方法および行動支援プログラムを提供する。
【課題を解決するための手段】
【００１０】
本発明の一態様としての行動支援装置は、対象機器に対する利用者の行動を支援する行動支援装置であって：前記対象機器に関する情報を対象状況情報として記憶する対象状況情報記憶手段と；前記対象機器に対する利用者の行動履歴を記憶する行動履歴記憶手段と；  前記対象機器が受け付ける行動と、前記行動に対して設定される人間の特性に基づくパラメータの値とを記憶するパラメータ化行動情報記憶手段と；一連の行動と、前記一連の行動の目的とを関連づけて記憶する行動目的情報記憶手段と；対象機器に対する行動時における利用者の心理状況を推定する状態推定部であって、前記行動履歴から利用者の目的を把握する目的把握手段と、把握された目的を達成するために必要な行動の中から、適正に行われていない行動の候補を、前記目的を達成するために必要な行動に対応するパラメータの値に基づいて検出する行動候補検出手段と、前記検出された行動の候補と、前記把握された目的とに基づき、前記行動履歴の中から推定を行う対象となる行動を決定する推定範囲決定手段と、前記推定範囲決定手段によって決定された行動に対応するパラメータの値から、前記推定範囲決定手段によって決定された行動を行っている時における利用者の心理状況を推定する心理状況推定手段と、を有した状態推定部と；前記心理状況推定手段によって推定された利用者の心理状況を記憶する状態記憶部と；前記推定範囲決定手段によって決定された行動と、前記適正に行われていない行動の候補と、前記対象状況情報とに基づき、前記適正に行われていない行動の候補の中から適正に行われていない行動を推定する行動推定手段と；前記行動推定手段によって推定された適正に行われていない行動と、前記推定された心理状況とを利用者への提示のために出力する出力手段と；を備える。
【００１１】
本発明の一態様としての行動支援方法は、対象機器に対する利用者の行動を支援する行動支援方法であって：前記対象機器に対する利用者の行動履歴を取得し；前記対象機器に対する一連の行動と前記一連の行動の目的とを関連づけた行動目的情報と、前記行動履歴とから利用者の目的を把握し；前記対象機器が受け付ける行動と人間の特性に基づくパラメータの値とを関連づけたパラメータ化行動情報に基づいて、把握された前記目的を達成するために必要な行動の中から、適正に行われていない行動の候補を検出し；前記検出された行動の候補と、前記把握された目的とに基づき、前記行動履歴の中から推定を行う対象となる行動を決定し；決定された行動に対応するパラメータの値から、前記決定された行動を行っている時における利用者の心理状況を推定し；前記決定された推定を行う対象となった行動と、前記適正に行われていない行動の候補と、前記対象機器に関する情報としての対象状況情報とに基づき、前記適正に行われていない行動の候補の中から適正に行われていない行動を推定し；前記推定された適正に行われていない行動と、推定された前記心理状況とを利用者への提示のために出力することを特徴とする。
【００１２】
本発明の一態様としての行動支援プログラムは、対象機器に対する利用者の行動を支援する行動支援プログラムであって：前記対象機器に対する利用者の行動履歴を取得するステップと；前記対象機器に対する一連の行動と前記一連の行動の目的とを関連づけた行動目的情報と、前記行動履歴とから利用者の目的を把握するステップと；前記対象機器が受け付ける行動と人間の特性に基づくパラメータの値とを関連づけたパラメータ化行動情報に基づいて、把握された前記目的を達成するために必要な行動の中から、適正に行われていない行動の候補を検出するステップと；前記検出された行動の候補と、前記把握された目的とに基づき、前記行動履歴の中から推定を行う対象となる行動を決定ステップと；決定された行動に対応するパラメータの値から、前記決定された行動を行っている時における利用者の心理状況を推定するステップと；前記決定された推定を行う対象となった行動と、前記適正に行われていない行動の候補と、前記対象機器に関する情報としての対象状況情報とに基づき、前記適正に行われていない行動の候補の中から適正に行われていない行動を推定するステップと；前記推定された適正に行われていない行動と、推定された前記心理状況とを利用者への提示のために出力するステップと；をコンピュータに実行させる。
【発明の効果】
【００１３】
本発明により、利用者の心理状況を考慮しつつ対象機器に対する利用者の行動を支援できる。
【発明を実施するための最良の形態】
【００１４】
以下、図面を参照しながら、本発明の実施の形態について説明する。
【００１５】
図１は、本実施の形態に係わる行動支援装置を含む操作ガイドシステムの構成を概略的に示す図である。
【００１６】
この操作ガイドシステムは、統合ＡＶ装置１０と、リモコン２０とを備える。
【００１７】
統合ＡＶ装置１０は、モニター１１、アナログＴＶチューナ（ＢＳアナログ、アナログ地上波）付きＶＨＳ録画再生装置１２、デジタルＴＶチューナ１３およびデジタル録画再生装置１４を有する。
【００１８】
リモコン２０は、統合AV装置１０を操作するものである。リモコン２０は、利用者からの入力に基づき、統合ＡＶ装置１０における対象機器に制御信号を出力し、これにより統合ＡＶ装置１０を操作する。リモコン２０は、利用者からの入力を受け付ける操作部２１と、統合ＡＶ装置１０における各機器と通信する通信部２３と、本実施の形態の特徴となる行動支援装置２２とを有する。
【００１９】
昨今、アナログ放送およびデジタル放送の視聴、アナログおよびデジタル録画および再生において操作が複雑化している。場合によっては複数の機器を連携して操作しなければならず、複雑さが増している。
【００２０】
本実施の形態では、以下の事例を想定する。すなわち、利用者がデジタル放送をＶＨＳテープに録画したいと考えて、リモコン２０を用いて統合ＡＶ装置１０に対する操作を行ったが、後で確認してみたところ、望みの番組が録画されていなかった。この場合において、なぜ望みの番組が録画されなかったのかを、操作時（行動時）における利用者の心理状況を考慮しつつ、行動支援装置２２を用いて推定する。
【００２１】
図２は、行動支援装置２２の構成を概略的に示すブロック図である。
【００２２】
行動支援装置２２は、対象特性記憶装置３１および行動推定装置３２を備える。
【００２３】
対象特性記憶装置３１は、統合ＡＶ装置１０の各機器に関する種々の情報、例えば各機器の属性情報、機器間の接続情報、各機器のマニュアル情報を、静的対象状況情報として格納している。各機器の属性情報および機器間の接続情報の一例を以下に示す。機器名情報は属性情報の一例である。
機器名情報：（登録名：  名称）
Ｅｑｐ１：  モニター
Ｅｑｐ２：  アナログＴＶチューナ付きＶＨＳ録画再生装置
Ｅｑｐ３：  デジタルＴＶチューナ
Ｅｑｐ４：  デジタル録画再生装置
接続情報：（「＞」一方向接続、「＜＞」双方向接続）
Ｅｑｐ２    ＞    Ｅｑｐ１
Ｅｑｐ３    ＞    Ｅｑｐ１
Ｅｑｐ３    ＞    Ｅｑｐ２
Ｅｑｐ３  ＜＞    Ｅｑｐ４
【００２４】
上記接続情報は、物理的な接続配線の情報と、通信可能な方向の情報とを含んでいる。例えば「Ｅｑｐ２    ＞    Ｅｑｐ１」は、アナログＴＶチューナ付きＶＨＳ録画再生装置とモニターとがケーブルで接続されており、アナログＴＶチューナ付きＶＨＳ録画再生装置側からモニター側へ通信可能であることを意味している。
【００２５】
行動推定装置３２は、リモコン２０の操作部２１から、利用者による操作履歴（利用者行動履歴）と、機器の稼働状況等の状況を表す情報（動的対象状況情報）とを逐次取得する。操作部２１は、機器の状況を、利用者による操作履歴から把握してもよいし、機器との通信により把握してもよい。行動推定装置３２は、これら利用者行動履歴および動的対象状況情報と、対象特性記憶装置３１内の静的対象状況情報と、後述する行動目的関連情報（パラメータ化行動情報、パラメータ化目的情報、行動目的情報）とに基づき、行動時における利用者の心理状況を推定するとともに、望みの結果が得られなかった原因を推定する。
【００２６】
以下、本行動支援装置２２についてさらに詳細に説明する。
【００２７】
行動推定装置３２における対象状況情報記憶部４１は、リモコン２０の操作部２１から動的対象状況情報を逐次取得して記憶する。これにより機器の現在および過去における稼働状況が把握できる。また、対象状況情報記憶部４１は、対象特性記憶装置３１から静的対象状況情報を取得して記憶する。動的対象状況情報の一例を以下に示す。
機器状況情報：Ｅｑｐ１：ＯＮ or ＯＦＦ（電源が入っているか否か）
Ｅｑｐ１：：ボタン１：ＯＮ or ＯＦＦ（ボタンが押された状態にあるか否か）
Ｅｑｐ１：：ボタンＮ：ＯＮ or ＯＦＦ
Ｅｑｐ２：ＯＮ or ＯＦＦ
Ｅｑｐ３：ＯＮ or ＯＦＦ
Ｅｑｐ４：ＯＮ or ＯＦＦ
【００２８】
パラメータ化行動・目的情報および行動目的情報記憶部（行動目的関連情報記憶部）４２は、各機器が受け付け可能な１つ１つの行動（例えばボタンを押す、チャンネルを設定する）に対して、機器操作に直接関係するパラメータ（本例ではＭＢ、ＥＰ）の値を付したものをパラメータ化行動情報として記憶する。また、行動目的関連情報記憶部４２は、一連の行動と規定の目的（例えばアナログ放送視聴を行う、アナログ放送ＶＨＳ録画設定を行う）とを対応付けて行動目的情報として記憶する。行動目的関連情報記憶部４２は、各規定の目的に対して、利用者の状況に依存したパラメータ（本例ではＥＧ）の値を付したものをパラメータ化目的情報として記憶する。上述のパラメータ化行動情報、行動目的情報およびパラメータ化目的情報をまとめて行動目的関連情報と称する。利用者の状況に依存したパラメータは後述のように他にも存在する（ＲＳ、ＢＲ、ＴＭ）。パラメータの内容の理解は本実施の形態を理解するために重要な事項の１つであるため、以下パラメータの内容について詳しく説明する。
【００２９】
コンピュータは膨大なメモリ容量を備え、多量のデータを非常に短時間に計算処理することができるが、人間は短時間で処理できるデータ数はそれほど多くない。本実施の形態は、人間の脳の情報処理特性に沿ってコンピュータに利用者行動履歴等を処理させることで、行動時における人間の心理状況を推定し、また、推定した心理状況を人間にフィードバックし、これにより人間にとってコンピュータをより利用し易くしようとするものである。このために、本実施の形態では、人間の脳の情報処理特性を表現するモデルを想定する。モデルは、種々のパラメータと、パラメータ間の相互関係とによって表現されるものとする。
【００３０】
具体的にパラメータは以下のもの（１）〜（６）を想定する。
（１）繰り返して取り組む度合を示すパラメータ（ＲＳ：Recursive Solution）
（２）選択候補数を示すパラメータ（ＢＲ：Brain Restriction）
（３）経験的予断（思い込み）の確度を示すパラメータ（ＥＰ：Empirical Prejudice）
（４）行動に対する経験的度合い（馴れ）を示すパラメータ（ＥＧ：Experiential Gain）
（５）ある行動について実際の行動を回避しようとする心理的障壁の度合いを示すパラメータ（ＭＢ：Mental Barrier／面倒くささ）
（６）行動および問題解決における時間的な余裕度を示すパラメータ（ＴＭ：Time Margin）
【００３１】
以下、各パラメータについて個別に説明する。
（１）ＲＳ（Recursive Solution）
本実施の形態は、利用者による行動中もしくは行動後において、うまく行かなかった行動について、行動過程においてどのような心理状況にあったかを推論することで、うまくいかなかった問題を解決することを目的の１つとしている。推論中も問題解決の最中であると考える。
【００３２】
人間は、対象の状況について完全には判明していない場合は、多くの場合、試行錯誤を行うことになる。どのように試行錯誤が行われるのかは、その人に依存することになるが、「繰り返しながら問題解決を図る」ということでは各人に共通している。
【００３３】
対象に対する実際の問題解決を行う場合、人間は、対象に対する行動を論理的に整理した手順にそのまま従うのではなく、まずどういう行動をとるかを考え、ひとつの行動をとる、ということを繰り返すと考える。この繰り返しのカウントを示すパラメータをＲＳというラベルで表し、パラメータＲＳの定義域（特に最大値）も定める。ＲＳの値が大きいと利用者の苛立ちの度合いが高くなる。脳の情報処理機能の特徴として、パラメータＲＳは、その値によっては、他のパラメータと相互に影響を与えあうことも想定される。
【００３４】
（２）ＢＲ（Brain Restriction）
古くは、ミラーによる指摘で、脳の短期記憶の容量は７±２個と言及されたように、短時間における人の記憶は限られている。したがって、行動を決断する瞬間に脳にある情報（行動にかかわる）も限られていると想定できる。また、行動を決断するときは、いくつかの行動の候補があってその中から選択していると思われる。そこで、選択する際の候補の数を表すパラメータをＢＲというラベルで表すことにする。また、上と同様に、脳の情報処理機能の特徴として、パラメータＢＲは、その値によっては、他のパラメータと相互に影響を与えあうことも想定される。
【００３５】
（３）ＥＰ（Empirical Prejudice）
必ずしも対象に対する行動を論理的に整理した手順にそのまま従って問題解決を行うというのでないのは、人間の過去の経験や思い込みが行動の決断に深く係わっており、かつ、過去の経験や思い込みが対象そのものの情報と論理的に整合性があるわけではないからである。
【００３６】
そこで、過去の経験や思い込みのデータ（行動）をあらかじめ定めておき、うまくいかない状況に対して、この行動を選択する候補となり易い度合いを表すパラメータＥＰを導入する。また、上と同様に、脳の情報処理機能の特徴として、パラメータＥＰは、その値によっては、他のパラメータと相互に影響を与えあうことも想定される。
【００３７】
（４）ＥＧ（Experiential Gain）
問題の状況が、比較的近い過去に経験したものである場合、その問題を解決ができるか否か、および、解決ができるならばその解決策を大体分かっていると思われる。その問題が解決できないものである場合でも、その他の選択を選ぶべきだということが明確になっている。このような状況では、比較的、心理的な余裕が存在していると思われる。また、逆に、問題の状況が過去に経験が無いような場合は、その問題に対する慣れが無いということから、行動におけるミスが比較的起こり易いと考えられる。このような心理的な余裕度は、行動そのものの決断に直接影響を及ぼすものではないが、特に、脳の情報処理機能に深く影響を与えていると思われる。例えば、心理的な余裕度は、上記ＢＲを小さくするように作用することが想定される。
【００３８】
そこで、各目的にあらかじめ、慣れの度合いを表すパラメータを設定することにし、このパラメータをＥＧというラベルで表すことにする（ここではパラメータの値としては「不慣れ度」を示すものとする。すなわち値が大きいほど慣れの度合いが低い）。複数の目的に定められる各ＥＧの合計が大きくなると、これらの目的に対する行動に不慣れで、これらの目的を達成するための時間も多く要し、したがって、間違いも起こし易い。パラメータＥＧは、上記ＢＲへの影響だけではなく、上と同様に、脳の情報処理機能の特徴として、その値によっては、他のパラメータと相互に影響を与えあうことも想定される。
【００３９】
（５）ＭＢ（Mental Barrier）
とるべき行動にいくつかの選択肢が存在する場合、その中からどれを選ぶかについては、論理的な判断を行うということだけではなく、行動のとっつきやすさや、行動そのものの易しさなども影響していると想定される。そこで、各行動について、手順の多さや、複雑さの度合いをあらかじめパラメータとして設定しておくことにし、そのパラメータをＭＢというラベルで表すものとする。ＭＢの値の低い行動が実際には選択され易いということになる。また、上と同様に、脳の情報処理機能の特徴として、パラメータＭＢは、その値によっては、他のパラメータと相互に影響を与えあうことも想定される。
【００４０】
（６）ＴＭ（Time Margin）
行動および問題解決においては、時間が限られているのが普通である。時間的な余裕度については、繰り返して取り組む度合いを示すパラメータＲＳでもある程度表現できるが、行動によってかかる時間に差異が出るため、ＲＳと、時間的余裕とは区別されるべきものと考える。そこで、時間的余裕を表すパラメータを導入し、このパラメータをＴＭというラベルで表すことにする。例えば、行動に費やした時間をパラメータＴＭの値から逐次減少させてゆくことにより、ある時点における時間的余裕度を算出できるものとする。当然のことながら、時間的余裕がなくなれば、パラメータＢＲが小さくなったり、パラメータＭＢが大きくなったりするというように、パラメータＴＭは他のパラメータに影響を与える。パラメータＴＭは、パラメータＢＲ、ＭＢへの影響だけではなく、上と同様に、脳の情報処理機能の特徴として、その値によっては、他のパラメータと相互に影響を与えあうことも想定される。
【００４１】
以上の他にも、パラメータ間の相互関係としては、例えば、以下のような関係があると想定される。
・ＴＭが小さくなれば、ＢＲは小さくなる。
・ＴＭが小さくなれば、ＭＢは大きくなる。
・ＲＳが大きくなれば、ＴＭは小さくなる。
・ＥＧが大きくなれば、ＭＢは大きくなる。
・ＥＧが大きくなれば、ＢＲは小さくなる。
・ＥＰが大きくなれば、ＢＲは小さくなる。
・ＥＰが大きくなれば、ＭＢは大きくなる。
・ＭＢが大きくなれば、ＴＭは小さくなる。
・ＥＰが大きくなれば、ＥＧは小さくなる。
【００４２】
さて、上述したように、行動目的関連情報記憶部４２は、各機器が受け付け可能な１つ１つの行動（例えばボタンを押す、録画チャンネルを設定する）に対してパラメータＭＢ、ＥＰの値を記憶する。また、行動目的関連情報記憶部４２は、一連の行動からなる規定の目的（アナログ放送視聴を行う、アナログ放送ＶＨＳ録画設定を行う）に対してパラメータＥＧ、さらに総ＭＢ（各行動のＭＢ値の合計）を記憶する。総ＭＢは記憶せずに必要時に計算するようにしてもよい。その他のパラメータＲＳ、ＢＲ、ＴＭは、後に述べる処理において使用する。以下にパラメータの設定例を示す。
【００４３】
（１）パラメータＭＢ、ＥＧの設定例（ＥＧは値が小さいほど慣れ度が高いことに注意する）
（１）−１  ボタン操作（押す）（ＭＢ＝１）
（１）−２  
Ａ：アナログ放送視聴（ＥＧ＝１、ＭＢ＝１＋１＋１＝３）
１）Ｅｑｐ１  電源ＯＮ（ＭＢ＝１）
２）Ｅｑｐ２  チャンネル設定（例  ボタンＮをＯＮ）（ＭＢ＝１）
３）Ｅｑｐ１  チャンネル設定（アナログＴＶチューナ入力）（ＭＢ＝１）
Ｂ：デジタル放送視聴（ＥＧ＝１、ＭＢ＝１＋１＋１＝３）
１）Ｅｑｐ１  電源ＯＮ（ＭＢ＝１）
２）Ｅｑｐ３  チャンネル設定（ＭＢ＝１）
３）Ｅｑｐ１  チャンネル設定（デジタルＴＶチューナ入力）（ＭＢ＝１）
Ｃ：アナログ放送ＶＨＳ録画設定（ＥＧ＝２、ＭＢ＝２＋２＋３＋１＋１＝９）
１）Ｅｑｐ２  チャンネル設定（ＭＢ＝２）
２）Ｅｑｐ２  録画時間設定（ＭＢ＝２）
３）Ｅｑｐ２  ＶＨＳテープセット（ＭＢ＝３）
４）Ｅｑｐ２  録画指令（ボタンを押す）（ＭＢ＝１）
５）Ｅｑｐ２  録画開始時刻までに電源をＯＦＦする（ＭＢ＝１）
Ｄ：デジタル放送録画設定（ＥＧ＝２、ＭＢ＝１＋２＋２＋１＋１＝７）
１）Ｅｑｐ３  電源ＯＮ（ＭＢ＝１）
２）Ｅｑｐ３  電子番組情報による番組選択（ＭＢ＝２）
３）Ｅｑｐ３  録画条件設定（例  放送時間の変更にも対応可能にする）
（ＭＢ＝２）
４）Ｅｑｐ３  録画指令（ボタンを押す）（ＭＢ＝１）
５）Ｅｑｐ３  録画開始時刻までに電源をＯＦＦする（ＭＢ＝１）
【００４４】
以上において、（１）−２におけるＡ〜Ｄは規定の目的であり、（１）−１およびＡ〜Ｄ内の各操作は１つの行動に対応する。１つの行動が複数の手順から成ってもよい。各目的における行動は、あくまで一例であり、各機器のマニュアル情報に記載された通りの行動であってもよいし、当該目的に関係のない手順が各目的に含まれてもよい。例えば、目的Ｃにおいて、１）の前に「Ｅｑｐ２  ＯＮ」が追加されてもよい。ここで、規定の目的Ａ〜Ｄの平均ＭＢを計算すると、
ＭＢ＝（３＋３＋９＋７）÷４＝５．５
となる。
【００４５】
また、以上において、各規定の目的と、各規定の目的に対応する操作群とのセットが行動目的情報に対応し、各操作と各操作に対応するパラメータ値（ここではＭＢ）とのセットがパラメータ化行動情報に対応し、各規定の目的と、各規定の目的に設定されたパラメータ値とのセットがパラメータ化目的情報に対応する。
【００４６】
（２）パラメータＥＰの設定例
Ａ：アナログ放送視聴
１）Ｅｑｐ１  電源ＯＮ（ＥＰ＝１）
２）Ｅｑｐ２  チャンネル設定（ＥＰ＝２）
３）Ｅｑｐ１  チャンネル設定（アナログＴＶチューナ入力）（ＥＰ＝３）
Ｂ：デジタル放送視聴
１）Ｅｑｐ１  電源ＯＮ（ＥＰ＝１）
２）Ｅｑｐ３  チャンネル設定（ＥＰ＝２）
３）Ｅｑｐ１  チャンネル設定（デジタルＴＶチューナ入力）（ＥＰ＝３）
Ｃ：アナログ放送ＶＨＳ録画設定
１）Ｅｑｐ２  チャンネル設定（ＥＰ＝３）
２）Ｅｑｐ２  録画時間設定（ＥＰ＝３）
３）Ｅｑｐ２  ＶＨＳテープセット（ＥＰ＝１）
４）Ｅｑｐ２  録画指令（ボタンを押す）（ＥＰ＝１）
５）Ｅｑｐ２  録画開始時刻までに電源をＯＦＦする（ＥＰ＝２）
Ｄ：デジタル放送録画設定
１）Ｅｑｐ３  電源ＯＮ（ＥＰ＝３）
２）Ｅｑｐ３  電子番組情報による番組選択（ＥＰ＝１）
３）Ｅｑｐ３  録画条件設定（ＥＰ＝２）
４）Ｅｑｐ３  録画指令（ボタンを押す）（ＥＰ＝１）
５）Ｅｑｐ３  録画開始時刻までに電源をＯＦＦする（ＥＰ＝２）
【００４７】
図２に戻り、行動履歴記憶部４６は、リモコン２０の操作部２１から利用者の行動履歴を逐次取得する。行動履歴の一例を表１に示す。この行動履歴は、利用者がデジタルＴＶ放送をアナログＴＶチューナ付きＶＨＳ録画再生装置でＶＨＳテープに録画する設定を行った際に得られたものである。
【００４８】
【表１】
2006285599.tif 000003
【００４９】
状態推定部４３は、行動履歴に示される各行動の結果、所望の結果が得られなかった原因の候補を推定し、さらに行動時における利用者の心理状況を推定する（状態推定）。状態推定部４３は、推定した原因の候補および推定した心理状況等を、行動推定部４５および状態記憶部４４に出力する。以下、状態推定部４３についてさらに詳細に説明する。
【００５０】
状態推定部４３は、目的把握部５１、行動候補検出部５２、推定範囲決定部５３、心理状況推定部５４および更新部５５を備える。
【００５１】
状態推定部４３は、推定指令が入力されることにより、処理を開始する。推定指令は利用者から操作部２１を介して状態推定部４３に入力される。また、行動目的関連情報記憶部４２に逐次蓄積される行動履歴を監視する監視部（図示せず）を設け、所定の推定基準を満たす行動履歴が発生したと監視部が判断した場合に（例えば同じ行動の繰り返しが複数回連続して発生した場合）、監視部が推定指令を生成し、状態推定部４３に入力する。
【００５２】
ここでは、表１の利用者行動履歴情報に示される一連の行動の結果、希望の番組が録画されていなかった場合を想定する。具体的には、デジタル放送視聴予約やアナログ放送ＶＨＳ録画時間設定等の操作は正常に行われたが、アナログＴＶチューナ付きＶＨＳ録画再生装置の入力チャンネルをデジタルＴＶチューナ側にするのを忘れていたとする。ただし利用者はこのことを知らない。利用者は希望の番組が録画されたかった原因を調べるべく、操作部２１から推定指令を入力したとする。
【００５３】
状態推定部４３は、推定指令が入力されると、対象状況情報記憶部４１から静的対象状況情報および動的対象状況情報を読み出す。また、状態推定部４３は、行動目的関連情報記憶部４２から行動目的関連情報を読み出す。また、状態推定部４３は、行動履歴記憶部４６から利用者行動履歴情報を読み出す。ここでは、利用者行動履歴情報として表１に示すものが入力されたとする。推定対象とする行動履歴の範囲は、例えば推定指令に含まれる。ここでは、表１に示す利用者行動履歴情報の全範囲を対象とする。
【００５４】
図３は、状態推定部４３による状態推定を説明するフローチャートである。
【００５５】
まず、例えば、パラメータＲＳ＝１とする（ＳＴＥＰ１）。すなわち最初の推定では利用者は苛立っていないものと想定する。パラメータＲＳ＝１は初期値として状態記憶部４４にあらかじめ格納されている。次に、利用者行動履歴情報内の各行動に対してパラメータ、例えばＭＢ、ＥＰ、ＴＭの値を設定する。表１の各行動に対してこれらのパラメータ値を設定した例を表２に示す。但し、表１において、総ＭＢは、ＭＢの累積値である。パラメータＭＢ、ＥＰの値は、行動目的関連情報におけるパラメータ化行動情報に基づいている。順番１におけるＴＭの値（＝２０）は、状態記憶部４４にあらかじめ格納された初期値に基づいている。順番２以降のパラメータＴＭの値は行動毎に１ずつ減算した。表１の各行動にパラメータを設定する処理は、状態記憶部４４が利用者行動履歴情報を行動履歴記憶部４６から読み出す際に、行動履歴記憶部４６において行ってもよい。この他、利用者行動履歴が行動履歴記憶部４６に蓄積されるたびにパラメータの設定を行ってもよい。
【００５６】
【表２】
2006285599.tif 000004
【００５７】
次に、状態推定部４３における目的把握部５１は、利用者行動履歴情報と行動目的関連情報とに基づいて、利用者の目的（問題候補）を推定する（ＳＴＥＰ２）。例えば、行動目的関連情報における行動目的情報に含まれる各規定の目的（例えばＡ〜Ｄ）内の行動と利用者行動履歴情報とを対比することで利用者の目的を推定する。この他、行動目的関連情報を用いずに利用者行動履歴情報から利用者の目的を検出するアルゴリズムを別途用意しておきこのアルゴリズムに従って利用者の目的を推定しても良い。ここでは、利用者の目的として、デジタル放送視聴とアナログ放送ＶＨＳ録画とが推定されたとする。
【００５８】
次に、状態推定部４３における行動候補検出部５２は、推定した目的（問題候補）の全体に対する習熟度（総ＥＧ）を設定する（ＳＴＥＰ３）。行動目的関連情報におけるパラメータ化目的情報に基づき、デジタル放送視聴のＥＧは１、アナログ放送ＶＨＳ録画のＥＧは２である。よって、総ＥＧ＝１＋２＝３である。なお、前述したように、ＥＧが小さいほど、習熟度が高いことに注意する。総ＥＧ＝３であるから、利用者にとって、問題候補の全体（デジタル放送視聴およびアナログ放送ＶＨＳ録画）は、単純なアナログ放送ＶＨＳ録画（ＥＧ＝２）よりも不慣れな操作であるといえる。
【００５９】
次いで、行動候補検出部５２は、推定された問題候補の数を制限し、各問題候補について優先順位付けを行う（ＳＴＥＰ４−１）。
【００６０】
制限数は選択候補数を示すパラメータＢＲの値によって規定する。ここでは例えばＢＲ＝２とする。この値は初期値としてあらかじめ状態記憶部４４に格納されている。上述のＳＴＥＰ３で推定された問題候補の数は２つであるから、ここではＳＴＥＰ３で検出された全ての問題候補を選択する。仮にＳＴＥＰ３で検出された問題候補の数が３以上である場合は、例えば、心理的障壁（ＭＢ）の値が大きい問題候補を２つ選択するなどにより、問題候補を２つ以下に制限する。
【００６１】
選択された問題候補の優先順位付けは、例えば各問題候補の総ＭＢに基づき行う。推定された２つの問題候補、すなわちデジタル放送視聴およびアナログ放送ＶＨＳ録画の総ＭＢは、行動目的関連情報から、それぞれ３および９である。つまり、アナログ放送ＶＨＳ録画の総ＭＢ＞デジタル放送視聴の総ＭＢであり、よって、ここではアナログ放送ＶＨＳ録画の優先順位を高くする。
【００６２】
次いで、行動候補検出部５２は、優先順位付けされた問題候補の各々において、経験的予断（ＥＰ）に基づき、誤操作の可能性が高い行動（個別原因）を列挙する（ＳＴＥＰ４−２）。各問題候補からそれぞれ列挙する個数は、上記ＢＲの値の範囲内であるとする。
【００６３】
まず、アナログ放送ＶＨＳ録画について個別原因を列挙すると以下の通りである。アナログ放送ＶＨＳ録画に含まれる行動は、前述した通り、行動目的関連情報におけるパラメータ化行動情報により、
１）Ｅｑｐ２  チャンネル設定（ＥＰ＝３）
２）Ｅｑｐ２  録画時間設定（ＥＰ＝３）
３）Ｅｑｐ２  ＶＨＳテープセット（ＥＰ＝１）
４）Ｅｑｐ２  録画指令（ボタンを押す）（ＥＰ＝１）
５）Ｅｑｐ２  録画開始時刻までには電源ＯＦＦする（ＥＰ＝２）
である。これらの行動の中から、例えばＥＰの値が大きいものを、２つ（＝ＢＲ）の範囲内で選択すると、
１）Ｅｑｐ２  チャンネル設定（ＥＰ＝３）
２）Ｅｑｐ２  録画時間設定（ＥＰ＝３）
となり、これらを個別原因として列挙する。
【００６４】
次に、デジタル放送視聴について個別原因を列挙すると以下の通りである。デジタル放送視聴に含まれる行動は、前述した通り、
１）Ｅｑｐ１  電源ＯＮ（ＥＰ＝１）
２）Ｅｑｐ３  チャンネル設定（ＥＰ＝２）
３）Ｅｑｐ１  チャンネル設定（デジタルＴＶチューナ入力）（ＥＰ＝３）
である。これらの行動の中から、例えばＥＰの値が大きいものを、２つの範囲内で選択する。ただし、ここではＥＰが１以下のものは対象外とする。また、３）のＥｑｐ１（モニター）のチャネル設定はここでは無関係であるため外すとする。すると、
２）Ｅｑｐ３  チャンネル設定（ＥＰ＝２）
が選択され、これを個別原因として列挙する。
【００６５】
以上のように列挙された各個別原因に対応して、以下の順序で、誤操作があったと考えられる。以下の順序は、各問題候補の総ＭＢ値、各行動のＥＰ値によっている。
（１）アナログ放送ＶＨＳ録画ミス（録画チャンネルがデジタルＴＶチューナからの入力になっていない）
（２）アナログ放送ＶＨＳ録画ミス（録画時間を間違えた）
（３）デジタル放送視聴ミス（番組の指定を間違えた）
【００６６】
次に、列挙された各個別原因（１）〜（３）と、利用者行動履歴情報と、上記推定した目的とに基づき、行動時における利用者による心理状況を推定する（ＳＴＥＰ４−３）。より詳細には以下の通りである。
【００６７】
まず、状態推定部４３における推定範囲決定部５３は、個別原因（１）（２）に対応する行動を利用者行動履歴情報から検出する。この結果、行動７、８が検出される。仮に個別原因に直接対応する行動が行動履歴に存在しない場合は、当該個別原因を含む目的に対応する行動を利用者行動履歴情報から検出する。例えば仮に利用者行動履歴情報において個別原因（２）に対応する行動８が存在しなかった場合は、アナログＴＶチューナ付きＶＨＳ録画再生装置（Ｅｑｐ２）に対する行動のうちアナログＶＨＳ録画に係わる行動を利用者行動履歴情報から検出する、または行動目的関連情報における行動目的情報に基づき、アナログ放送ＶＨＳ録画設定に含まれる各行動に対応する行動を検出する。この結果、例えば、行動６、７、９〜１１が検出される。ただし、行動６が誤りであることはないため除外してもよい。
【００６８】
一方個別原因（３）に対応する行動を利用者行動履歴情報から検出すると、行動５となる。
【００６９】
次に、状態推定部４３における心理状況推定手段５４は、以上のように検出された行動５、７、８のパラメータ値およびその他のパラメータ値に基づき、これらの行動５、７、８時における利用者の心理状況を推定する。より詳細には以下の通りである。
【００７０】
行動５における総ＭＢ＝５は、先に計算した平均ＭＢ（＝５．５）とほぼ同じであり、行動７の総ＭＢ（＝８）および行動８の総ＭＢ（＝１０）は、平均ＭＢを越えている。これらの事実および他のパラメータの値とから、利用者による心理状況は例えば以下のように推定される。パラメータ値や行動履歴等から心理状況を推定するアルゴリズムはあらかじめ別途用意しておく。
Ｉ）不慣れな操作において（総ＥＧ＝３＞２）
II）平均的な面倒くささ（ＭＢ＝５．５）よりも長く手順が続いたところで
III）アナログ放送ＶＨＳ録画において面倒な（ＭＢが大）似たような操作が２つ続き（行動７、８）
IV）よく起こり得る（ＥＰが大）ミスが生じた
Ｖ）（ＴＭが大きいため（行動８の時点でＴＭ＝１２））時間的にはまだ余裕があるといえる
【００７１】
図２において、状態推定部４３は、推定された心理状況Ｉ）〜Ｖ）と、ＳＴＥＰ４−１で選択した問題候補および各問題候補から列挙された個別原因とを、行動推定部４５および状態記憶部４４に出力する（ＳＴＥＰ４−４）。また、状態推定部４３は、ＳＴＥＰ１〜ＳＴＥＰ４−３で扱った各パラメータ（行動履歴に設定された各パラメータの値も含む）の値を、状態記憶部４４に出力する（ＳＴＥＰ４−４）。
【００７２】
行動推定部４５は、対象状況情報記憶部４１から動的対象状況情報を取得し、取得した動的対象状況情報と、状態推定部４３から受け取った問題候補および個別原因とから、利用者が希望の結果を得ることができなかった原因を推定する。より詳細には以下の通りである。
【００７３】
まず、対象状況情報記憶部４１から取得した動的対象状況情報から、以下の２つの事実が判明したとする。
Ａ）デジタルＴＶチューナにおいてデジタル放送がある時間帯視聴されていた
Ｂ）アナログＴＶチューナ付きＶＨＳ録画再生装置においてアナログ放送がデジタル放送と同時間帯に録画されていた
【００７４】
Ａ）およびＢ）の事実と、状態推定部４３からの入力とから、「アナログ録画の時間帯については間違っていない」という事実が推定される。
【００７５】
以上の結果、行動推定部４５は、アナログ放送ＶＨＳ録画においてチャンネル設定が間違っていたと推定し、「アナログ放送ＶＨＳ録画においてチャンネル設定が間違っていた」という行動推定結果を生成する。ここでは、アナログ放送ＶＨＳ録画の方がデジタル放送視聴よりも層ＭＢの値が大きいため、デジタル放送視聴ミス（番組指定が間違っていた）よりもアナログ放送ＶＨＳ録画ミスの方の可能性が高いとしている。
【００７６】
行動推定部４５は、生成した行動推定結果を、上記推定した利用者の心理状況とともに、利用者に提示する。提示の手法は、例えばリモコン２０に表示部を設けこの表示部にデータを出力しても良いし、パーソナルコンピュータ（図示せず）とリモコン２０とを接続してパーソナルコンピュータにデータを転送し、パーソナルコンピュータの表示部で表示しても良い。すなわち行動推定部４５は、利用者への提示のための出力手段を含む。
【００７７】
この後、行動推定装置３２は、処理を続ける場合は（ＳＴＥＰ５のＮＯ）、更新部５５を用いて、状態記憶部４４内のパラメータを必要に応じて更新して（ＳＴＥＰ６、ＳＴＥＰ１）、再度、状態推定を行う。すなわち繰り返しの推定では更新後のパラメータ値を用いる。そして、行動推定装置３２は、推定結果を利用者に提示する。行動推定装置３２は、以上を繰り返す。すなわち、行動推定装置３２は、推定を繰り返しながら、誤操作をすばやく特定し、早急な問題解決を図る。繰り返しの推定では、推定作業の中で用いる条件を適宜変えてもよい。例えば、前述した推定作業では、問題候補の選択をＭＢが大きいものから２つ選択するとしたが、２番目に大きいものから２つを選択するとしてもよいし、ＭＢが小さいものから２つを選択するとしてもよい。ここでパラメータの更新の例について以下に簡単に説明する。
【００７８】
（１）ＥＧの更新：行動履歴の蓄積に応じて所定の条件により習熟度を高く（ＥＧを小さく）する。例えば、表２よりも時間的に前に蓄積された行動履歴が存在し、この時間的に前の行動履歴に、表２の行動履歴と共通する規定の目的が存在する場合は、その共通する目的のＥＧを小さくする。
【００７９】
（２）ＴＭの更新：繰り返しの推定をする中で、時間的な余裕（ＴＭ）を小さくする。例えば、２度目の推定では、利用者が心理的に焦って行動していたと想定して、ＴＭの開始値を、前回よりも小さくしたり、また、ＴＭの減少幅を１ずつではなく２ずつとしたりする。
【００８０】
（３）ＢＲの更新：時間的余裕が小さくなるにつれて、選択候補数（ＢＲ）を小さくする。例えば、ＴＭの開始値が小さい場合は、これに応じてＢＲを小さくする。
【００８１】
（４）ＭＢの更新：時間的余裕が小さくなるにつれて、心理的障壁（ＭＢ）を高くする。例えばＴＭの開始値が小さくした場合はＭＢを大きくする。また、習熟度を低くした（ＥＧを大きくした）場合は、ＭＢを大きくし、逆に、習熟度を高くした（ＥＧを小した）場合は、ＭＢを小さくする。
【００８２】
（５）ＥＰの更新：利用者に提示した内容が正しくなかった場合は（後述）、提示された行動に対する経験的予断（ＥＰ）を小さくし、逆に正しかった場合はＥＰを大きくする。
【００８３】
（６）ＲＳの更新：例えば行動履歴で同じパターンの行動が繰り返されている場合はＲＳを大きくする。
【００８４】
以上の更新例はあくまで一例であり、例えばパラメータ間の相互関係には、以上の他にも、前述したように、種々の形態が存在し得る。
【００８５】
また、以上の更新例では、パラメータ間の相互関係を定性的に示したが、パラメータの更新は、実際には、例えば単純な一次関数または指数関数などの関数（関係式）に基づいて行ったり、また、If〜Then〜などの関数（関係式）に基づいて行ったりする。
【００８６】
図４は、図１の行動支援装置２２に対して情報確認装置３４を設けた例を示す図である。情報確認装置３４は行動支援装置２２の内部に設けられても良い。情報確認装置３４は応答受取手段に対応する。
【００８７】
情報確認装置３４は、行動推定部４５による提示内容（行動推定結果および心理状況）に納得したか否かの入力を利用者から受け付ける。すなわち、情報確認装置３４は、「アナログ放送ＶＨＳ録画におけるチャンネルの設定」が実際に間違っていたのかどうかを利用者に確認させ、確認の結果を確認信号として受け取る。
【００８８】
情報確認装置３４は、提示内容が適切である旨を示す確認信号を受け取った場合は、行動支援装置２２に推定停止信号を出力しても良い。推定停止信号を受け取った行動支援装置２２は状態推定を停止する（図３のＳＴＥＰ５のＹＥＳ）。
【００８９】
一方、情報確認装置３４は、提示内容が適切でない旨を受け取った場合は、推定継続信号を行動支援装置２２に出力する。推定継続信号を受け取った行動支援装置２２は状態推定を継続する（ＳＴＥＰ５のＮＯ）。この場合において、例えばパラメータ更新（ＳＴＥＰ６）において、提示内容に対応する行動のＥＰを小さくした場合などは、次回は、「デジタル放送視聴」の操作に間違いがあったことが検出され得る。
【００９０】
図５は、図１の行動支援装置の内部に推奨行動策定装置３３を設けた例を示す図である。
【００９１】
推奨行動策定装置３３は、行動推定部４５によって推定された「間違った行動」と、対象特性記憶装置３１内のマニュアル情報（静的対象状況情報）とに基づいて、利用者に確認することを奨める行動を示した情報を生成する。
【００９２】
例えば推定された「間違った行動」が、前述した「アナログ録画におけるチャンネル設定」である場合、この「アナログ録画におけるチャンネル設定」と、マニュアル情報とを突き合わせて、「アナログ録画のチャンネル設定を再確認」の情報を生成する。仮にチャネル設定が複数の手順からなる場合は、各手順をマニュアル情報から取得し、取得した各手順を含む情報を生成する。
【００９３】
以上に説明した図２、図４および図５に示す各構成要素はハードウェア的に実現してもよいし、通常のプログラミング技法により生成したプログラムをコンピュータに実行させることによって実現してもよい。または、これらの手法の両方を組み合わせて実現してもよい。
【００９４】
以上のように、本実施の形態によれば、適切でない行動を推論するとともに、その適切でない行動に対しその行動を行った際の利用者の心理状況を推論するようにしたため、適切でない行動または正しい選択行動とともに、判断誤りの理由を利用者に提示することで、説得性の高い支援を利用者に提供することができる。よって、本発明は、保守業務や運転業務、機器操作、この他種々の教育現場に用いて、極めて有用である。
【図面の簡単な説明】
【００９５】
【図１】本発明の実施の形態に係わる操作ガイドシステムの構成を示すブロック図である。
【図２】本発明の実施の形態に従った行動支援装置の構成を示すブロック図である。
【図３】行動支援装置における状態推定部による処理を説明するフローチャートである。
【図４】図２の行動支援装置に対して情報確認装置を設けた構成を示す図である。
【図５】図２の行動支援装置の内部に推奨行動策定装置を設けた構成を示す図である。
【符号の説明】
【００９６】
２２、３５  行動支援装置
３１  対象特性記憶装置
３２  行動推定装置
３３  推奨行動策定装置
３４  情報確認装置
４１  対象状況情報記憶部
４２  行動関連情報記憶部
４３  状態推定部
４４  状態記憶部
４５  行動推定部
４６  行動履歴記憶部
５１  目的把握部
５２  行動候補検出部
５３  推定範囲決定部
５４  心理状況推定部
５５  更新部
【図１】
2006285599.tif 000005
【図２】
2006285599.tif 000006
【図３】
2006285599.tif 000007
【図４】
2006285599.tif 000008
【図５】
2006285599.tif 000009